(57)【要約】【課題】ケーシング天面の操作ボタン用貫通孔からの液体が大量に侵入しても確実に電気部品を保護することができる空気調和機を提供する。【解決手段】空気調和機１は、ケーシング２と、操作ボタン１１、１２と、電気部品３と、防水シート４と、保持部５とを備えている。ケーシング２は、その天面にボタン用貫通孔１３、１４が形成されている。操作ボタン１１、１２は、ケーシング２の天面の下方に配置されている。操作ボタン１１、１２は、ボタン用貫通孔１３、１４を通して外部に露出する。電気部品３は、ケーシング２内部の天面の下方であって、操作ボタン１１、１２よりも下方の位置に配置されている。防水シート４は、操作ボタン１１、１２と電気部品３との間に配置されている。保持部５は、操作ボタン１１、１２と電気部品３との間に保持する。保持部５は、ボタン用貫通孔１３、１４を通してケーシング２内部に入る液体を防水シート４によって電気部品３から遠ざかる方向に導くように、防水シート４を保持する。【選択図】図４
2008051388.tif 000002
【特許請求の範囲】
【請求項１】
天面にボタン用貫通孔（１３、１４）が形成されたケーシング（２）と、
前記ケーシング（２）の天面の下方に配置され、前記ボタン用貫通孔（１３、１４）を通して外部に露出する操作ボタン（１１、１２）と、
前記ケーシング（２）内部の前記天面の下方であって、前記操作ボタン（１１、１２）よりも下方の位置に配置された電気部品（３）と、
前記操作ボタン（１１、１２）と前記電気部品（３）との間に配置された防水シート（４）と、
前記防水シート（４）を前記操作ボタン（１１、１２）と電気部品（３）との間に保持する保持部（５）と
を備えており、
前記保持部（５）は、前記ボタン用貫通孔（１３、１４）を通して前記ケーシング（２）内部に入る液体を前記防水シート（４）によって前記電気部品（３）から遠ざかる方向に導くように、前記防水シート（４）を保持する、
空気調和機（１）。
【請求項２】
前記保持部（５）は、前記防水シート（４）を前方から後方へ向かうにつれて下降するような傾斜状態で保持する、
請求項１に記載の空気調和機（１）。
【請求項３】
前記操作ボタン（１１、１２）は、前記ボタン用貫通孔（１３、１４）を通して前記ケーシング（２）内部に入る液体を受けるつば部（２１、２２）を有している、
請求項１に記載の空気調和機（１）。
【請求項４】
前記つば部（２１、２２）の上面には、溝が形成されている、
請求項３に記載の空気調和機（１）。
【請求項５】
前記防水シート（４）は、遮光兼用である、
請求項１に記載の空気調和機（１）。
【請求項６】
前記電気部品（３）が前記空気調和機（１）の制御基板である、
請求項１に記載の空気調和機（１）。
【請求項７】
前記制御基板は、縦に配置されている、
請求項６に記載の空気調和機（１）。
【発明の詳細な説明】
【技術分野】
【０００１】
本発明は、ケーシング天面に操作ボタンを備えた空気調和機に関する。
【背景技術】
【０００２】
従来、ケーシング天面に操作ボタンを備えた空気調和機として、特許文献１に記載された空気調和機がある。
【０００３】
この空気調和機では、ケーシング天面の貫通孔から操作ボタンが外部に露出しており、この操作ボタンをユーザが押すことによって、空気調和機の運転を操作することが可能である。
【０００４】
また、ケーシング天面の貫通孔から液体がケーシング内部に侵入したときには、操作ボタンに設けられたガイドリブおよび傾斜リブによって液体を電気部品等から離れる方向へ流すようにしている。
【特許文献１】実開平１−８６２８２号公報
【発明の開示】
【発明が解決しようとする課題】
【０００５】
しかし、空気調和機のケーシング天面に置かれたコップ等が倒れる等の原因によってケーシング天面の貫通孔から大量の液体が侵入した場合には、操作ボタンの比較的小さいガイドリブおよび傾斜リブでは液体を所定の方向へ流すことが困難になり、液体から電気部品を保護することが困難である。
【０００６】
本発明の課題は、ケーシング天面の操作ボタン用貫通孔からの液体が大量に侵入しても確実に電気部品を保護することができる空気調和機を提供することにある。
【課題を解決するための手段】
【０００７】
第１発明の空気調和機は、ケーシングと、操作ボタンと、電気部品と、防水シートと、保持部とを備えている。ケーシングは、その天面にボタン用貫通孔が形成されている。操作ボタンは、ケーシングの天面の下方に配置されている。操作ボタンは、ボタン用貫通孔を通して外部に露出する。電気部品は、ケーシング内部の天面の下方であって、操作ボタンよりも下方の位置に配置されている。防水シートは、操作ボタンと電気部品との間に配置されている。保持部は、操作ボタンと電気部品との間に保持する。保持部は、ボタン用貫通孔を通してケーシング内部に入る液体を防水シートによって電気部品から遠ざかる方向に導くように、防水シートを保持する。
【０００８】
ここでは、空気調和機が操作ボタンと制御基板との間に防水シートを保持する保持部を備えており、保持部がボタン用貫通孔を通してケーシング内部に入る液体を防水シートによって電気部品から遠ざかる方向に導くように防水シートを保持する。したがって、ケーシングの天面のボタン用貫通孔からの液体が大量に侵入しても防水シートによって液体が電気部品から遠ざかる方向に導かれるので、電気部品を液体から確実に保護することができる。
【０００９】
第２発明の空気調和機は、第１発明の空気調和機であって、保持部は、防水シートを前方から後方へ向かうにつれて下降するような傾斜状態で保持する。
【００１０】
ここでは、保持部が防水シートを前方から後方へ向かうにつれて下降するような傾斜状態で保持するので、ケーシングの天面のボタン用貫通孔からの液体が大量に侵入しても液体を後方へ円滑に流すことができ、電気部品を液体から確実に保護することができる。
【００１１】
第３発明の空気調和機は、第１発明の空気調和機であって、操作ボタンは、つば部を有している。つば部は、ボタン用貫通孔を通してケーシング内部に入る液体を受ける。
【００１２】
ここでは、操作ボタンがボタン用貫通孔を通してケーシング内部に入る液体を受けるつば部を有しているので、ボタン用貫通孔からの液体の侵入を低減できる。
【００１３】
第４発明の空気調和機は、第３発明の空気調和機であって、つば部の上面には、溝が形成されている。
【００１４】
ここでは、つば部の上面に溝が形成されているので、ケーシングの内部に侵入した液体を溝で受けた後、溝を通して電気部品から遠ざかる方向に円滑に導いて防水シートの上へ液体を流すことができ、これによって、電気部品に液体がかかることを効果的に防止できる。
【００１５】
第５発明の空気調和機は、第１発明の空気調和機であって、防水シートは、遮光兼用である。
【００１６】
ここでは、防水シートが遮光兼用であるので、ケーシング内部の発光源から発せられる光がケーシング天面から漏れることを防止できる。
【００１７】
第６発明の空気調和機は、第１発明の空気調和機であって、電気部品が空気調和機の制御基板である。
【００１８】
ここでは、本発明の電気部品として空気調和機の制御基板が用いられている。制御基板は液体をかぶると短絡などの電気的故障が生じやすいが、ケーシングの天面のボタン用貫通孔からの液体が大量に侵入しても制御基板を液体から確実に保護することができる。
【００１９】
第７発明の空気調和機は、第６発明の空気調和機であって、制御基板は、縦に配置されている。
【００２０】
ここでは、制御基板が縦に配置されているので、広い面積の基板でもケーシングの内部における前方側へ配置することが可能である。
【発明の効果】
【００２１】
第１発明によれば、ケーシングの天面のボタン用貫通孔からの液体が大量に侵入しても電気部品を液体から確実に保護することができる。
【００２２】
第２発明によれば、ケーシングの天面のボタン用貫通孔からの液体が大量に侵入しても液体を後方へ円滑に流すことができ、電気部品を液体から確実に保護することができる。
【００２３】
第３発明によれば、ボタン用貫通孔からの液体の侵入を低減できる。
【００２４】
第４発明によれば、電気部品に液体がかかることを効果的に防止できる。
【００２５】
第５発明によれば、ケーシング内部の発光源から発せられる光がケーシング天面から漏れることを防止できる。
【００２６】
第６発明によれば、制御基板が液体をかぶると短絡などの電気的故障が生じやすくても、ケーシングの天面のボタン用貫通孔からの液体が大量に侵入しても制御基板を液体から確実に保護することができる。
【００２７】
第７発明によれば、広い面積の基板でもケーシングの内部における前方側へ配置することができる。
【発明を実施するための最良の形態】
【００２８】
つぎに本発明の空気調和機の実施形態を図面を参照しながら説明する。
＜空気清浄機１の構成＞
【００２９】
本発明の空気調和機の実施形態である図１〜４に示される空気清浄機１は、ケーシング２と、操作ボタン１１、１２と、本発明の電気部品である制御基板３と、ケーシング２内部に侵入した液体から制御基板３を保護するための防水シート４と、防水シート４を保持する保持部５と、正面パネル６と、フィルタ１５と、プラズマイオン化ユニット１６と、ストリーマ放電ユニット１７と、ＬＥＤ表示部４１とを備えている。
【００３０】
制御基板３は、ケーシング２の内部において、ケーシング２の前面２ｂと平行に並ぶように縦に配置されている。
【００３１】
ＬＥＤ表示部４１は、図４に示されるように、制御基板３に設けられた複数のＬＥＤ４２と、各ＬＥＤ４２から発せられた光をケーシング２の前面２ｂの開口２ｃへ導く導光部材４３とを有している。
＜ケーシング２の構成＞
【００３２】
ケーシング２は、図１〜図４に示されるように、第１本体ケーシング７、第２本体ケーシング８、およびスイッチカバー９から構成されている。また、ケーシング２の天面２ａには、操作ボタン１１、１２をそれぞれケーシング２の外部に露出するための操作ボタン用貫通孔１３、１４が形成されている。
【００３３】
第１本体ケーシング７の内部には、ファン（図示せず）等が収納されている。
【００３４】
第２本体ケーシング８前面側に開口する収納スペース１８には、フィルタ１５およびプラズマイオン化ユニット１６が収納されている。また、第２本体ケーシング８は、収納スペース１８の上方の位置において、ストリーマ放電ユニット１７および交換用フィルタ１９を収納している。
【００３５】
フィルタ１５は、本体２内部のファン（図示せず）の吸引力によって、正面パネル６の周囲の吸込口１０ａから本体２の内部に吸い込まれた空気に含まれる塵埃をフィルタ表面に吸着して捕集する。フィルタ１５によって清浄化された空気は、吹出口１０ｂから外部へ吹き出す。フィルタ１５は、プリーツ状に形成されている。フィルタ１５は、帯電した塵埃を吸着できる静電フィルタと、光触媒機能を有するチタンアパタイト担持フィルタとを積層させることにより製造されている。
【００３６】
また、プラズマイオン化ユニット１６は、そのユニット１４を通過する空気中の塵埃を帯電させることによって、フィルタ１５に塵埃を吸着させやすくする。
【００３７】
また、ストリーマ放電ユニット１７は、ストリーマ放電によって活性種を発生させる。発生した活性種は、本体２内部に吸入される空気流れと合流して、フィルタ１５の光触媒機能を活性化させる。光触媒機能を活性化されたフィルタ１５は、空気中のウィルスやカビ菌、細菌などを不活化または死滅させる。
＜防水シート４の構成＞
【００３８】
防水シート４は、図５に示されるように、防水性を有する長方形の合成樹脂製シートである。防水シート４は、操作ボタン１１、１２の操作リブ３６、３７（図４および図９参照）がそれぞれ挿入される操作リブ用開口４ａ、４ｂと、スイッチカバー９の内側に突出しているリブ（図示せず）が挿入されるスリット４ｃ、４ｄとを有している。
【００３９】
防水シート４は、光を通しにくい黒色の合成樹脂によって製造されているので、防水性だけでなく、遮光機能も兼ね備えている。したがって、図４に示される制御基板３のＬＥＤ４２から発せられる光は、防水シート４によって遮光されるので、ケーシング２ａの天面２ａからの光の漏れを防止できる。
【００４０】
なお、操作リブ用開口４ａ、４ｂからの光の漏れは、ボタンユニット３０のつば部３８、３９（図４および図９参照）によって遮光される。
＜保持部５の構成＞
【００４１】
保持部５は、図４、図６ならびに図７に示されるように、防水シート４を、操作ボタン１１、１２と制御基板３との間に保持する。保持部５は、ケーシング２の操作ボタン用貫通孔１３、１４を通してケーシング２内部に入る液体を防水シート４によって制御基板３から遠ざかる方向に導くように防水シート４を保持する。
【００４２】
具体的には、保持部５は、ケーシング２のスイッチカバー９の前面内側において、スイッチカバー９の天面との間に隙間５４を開けた状態で突設された複数の楔形突起５１と、操作ボタン１１、１２のつば部２１、２２の下面に突設された突起５２、５３とを有している。
【００４３】
防水シート４の前端をスイッチカバー９の天面と複数の楔形突起５１との間の隙間５４に差し込めば、防水シート４の後方側が突起５２、５３によって上方から押圧され、その結果、防水シート４を前方から後方へ向かうにつれて下降するような傾斜状態で保持することが可能になる。したがって、液体を後方へ円滑に流すことができ、ケーシング２の天面２ａの操作ボタン用貫通孔１３、１４からの液体が大量に侵入しても制御基板３を液体から確実に保護することができる。
＜ボタンユニット３０の構成＞
【００４４】
操作ボタン１１、１２は、図８〜９に示されるように、合成樹脂によって一体成形されたボタンユニット３０の一部である。
【００４５】
ボタンユニット３０は、２個の操作ボタン１１、１２と、操作ボタン１１、１２にそれぞれ連結されたアーム部３１、３２と、アーム部３１、３２における操作ボタン１１、１２と連結した側に対して反対側の端部に連結された支点部３３と、操作ボタン１１、１２
のそれぞれの周囲に形成されたつば部２１、２２と、操作ボタン１１、１２のそれぞれの近傍に形成された十字断面形状の操作リブ３６、３７と、つば部２１、２２の下面側に突設された突起５２、５３とを備えている。
【００４６】
ここで、操作ボタン１１は、運転切換／停止ボタンであり、操作ボタン１２は、フィルタリセットボタンである。操作ボタン１１、１２を押すことにより、操作リブ３６、３７を下方へ移動させると、制御基板３の上端付近のスイッチ４０（図４参照）を押すことが可能である。
【００４７】
ユーザが操作ボタン１１、１２を指で押した場合、支点部３３を回転中心として、アーム部３１、３２をたわめながら操作ボタン１１、１２が下降し、ユーザが指を操作ボタン１１、１２から離すと、アーム部３１、３２の復元力により、操作ボタン１１、１２は元の位置まで上昇して停止する。
【００４８】
支点部３３は、ネジ止めなどによって、スイッチカバー９の内面に固定されている。
【００４９】
また、つば部２１、２２の上面には、溝３４、３５が形成されている。溝３４、３５は、それぞれ操作ボタン１１、１２を取り囲むように形成されている。溝３４、３５は、操作ボタン１１、１２の後方側（すなわち、図４に示される制御基板３から遠い図中右側）には、溝３４、３５の出口３４ａ、３５ａが形成されている。したがって、操作ボタン用貫通孔１３、１４を通してケーシング２の天面からケーシング２の内部へ液体が侵入しても、つば部２１、２２によって侵入する液体を低減することができる。
【００５０】
また、侵入した液体も、操作ボタン１１、１２周囲の溝３４、３５で受けた後、溝３４、３５の出口３４ａ、３５ａを通して制御基板３からから遠ざかる方向に円滑に導いて防水シート４の上へ液体を流すことができる。これによって、侵入した液体は、図４に示される矢印Ｆのような経路で流れることにより、制御基板３に液体がかかることを効果的に防止できる。
＜特徴＞
【００５１】
（１）
実施形態の空気清浄機１は、操作ボタン１１、１２と制御基板３との間に防水シート４を保持する保持部５を備えている。保持部５は、操作ボタン用貫通孔１３、１４を通してケーシング２内部に入る液体を防水シート４によって制御基板３から遠ざかる方向に導くように防水シート４を保持する。したがって、ケーシング２の天面２ａの操作ボタン用貫通孔１３、１４からの液体が大量に侵入しても防水シート４によって液体が制御基板３から遠ざかる方向に導かれるので、制御基板３などの電気部品を液体から確実に保護することができる。
（２）
実施形態の空気清浄機１では、保持部５は、防水シート４を前方から後方へ向かうにつれて下降するような傾斜状態で保持するので、ケーシング２の天面２ａの操作ボタン用貫通孔１３、１４からの液体が大量に侵入しても液体を後方へ円滑に流すことができ、制御基板３を液体から確実に保護することができる。実施形態では、図４に示されるように、制御基板３がケーシング２の前面２ｂのすぐ後方側に縦に配置されているが、この場合も、操作ボタン用貫通孔１３、１４からの液体が大量に侵入しても防水シート液体を後方へ円滑に流すことができ、制御基板３を液体から確実に保護することができる。
（３）
実施形態の空気清浄機１では、操作ボタン１１、１２は、操作ボタン用貫通孔１３、１４を通してケーシング２内部に入る液体を受けるつば部２１、２２を有しているので、操作ボタン用貫通孔１３、１４からの液体の侵入を低減できる。図４に示されるように、操作ボタン１１、１２を押していない状態では、つば部２１、２２は、ケーシング２の天面２ａに当接しているので、操作ボタン用貫通孔１３、１４からの液体の侵入を低減できる。
（４）
実施形態の空気清浄機１では、つば部２１、２２の上面には、溝３４、３５が形成されているので、ケーシング２の内部に侵入した液体を溝３４、３５で受けた後、溝３４、３５の出口３４ａ、３５ａを通して制御基板３から遠ざかる方向に円滑に導いて防水シート４の上へ液体を流すことができる。これによって、制御基板３に液体がかかることを効果的に防止できる。
（５）
実施形態の空気清浄機１では、防水シート４は、防水だけでなく遮光兼用であるので、ケーシング２内部のＬＥＤ４２等の発光源から発せられる光がケーシング天面から漏れることを防止できる。
（６）
実施形態の空気清浄機１では、本発明の電気部品として空気調和機１の制御基板３が用いられており、制御基板３は液体をかぶると短絡などの電気的故障が生じやすいが、ケーシング２の天面２ａの操作ボタン用貫通孔１３、１４からの液体が大量に侵入しても制御基板３を液体から確実に保護することができる。
（７）
実施形態の空気清浄機１では、制御基板３が縦に配置されているので、広い面積の基板でもケーシング２の内部における前方側へ配置することが可能であり、制御基板３の表面に表示用ＬＥＤやスイッチなどを配置することが可能である。
【産業上の利用可能性】
【００５２】
本発明は、ケーシング天面に操作ボタンを備えた空気調和機であり、ケーシング天面から液体が侵入されるおそれがある空気調和機で有れば広く適用することが可能である。本発明でいう空気調和機には、空気清浄機やルームエアコンなどの床置き型の空気調和機が含まれる。
【図面の簡単な説明】
【００５３】
【図１】本発明の空気調和機の実施形態に係わる空気清浄機の斜視図。
【図２】図１の空気清浄機の外面における吸込口および吹出口付近の拡大斜視図。
【図３】図１の空気清浄機の正面パネルを取った状態の分解斜視図。
【図４】図１の空気清浄機内部の防水シートの取付状態を示す断面図。
【図５】図４の防水シートの斜視図。
【図６】図４のスイッチカバー内部における防水シートを取り付ける前の状態の斜視図。
【図７】図４のスイッチカバー内部における防水シートを取り付けた後の状態の斜視図。
【図８】図４のボタンユニットの斜め上方から見た斜視図。
【図９】図４のボタンユニットの斜め下方から見た斜視図。
【符号の説明】
【００５４】
１  空気清浄機
２  ケーシング
３  制御基板（電気部品）
４  防水シート
５  保持部
１１、１２  操作ボタン
１３、１４  ボタン用貫通孔
２１、２２  つば部
３４、３５  溝
【図１】
2008051388.tif 000003
【図２】
2008051388.tif 000004
【図３】
2008051388.tif 000005
【図４】
2008051388.tif 000006
【図５】
2008051388.tif 000007
【図６】
2008051388.tif 000008
【図７】
2008051388.tif 000009
【図８】
2008051388.tif 000010
【図９】
2008051388.tif 000011